(57)【要約】【課題】ネットワーク接続された複数のデジタル記録機器と、ネットワークを介して複数の放送受信装置が接続された場合、共通のデジタル記録機器上でのファイルやフォルダの管理が安全に行われるようにした。【解決手段】ネットワークを介して複数の録画手段を接続可能な接続手段と、前記複数の録画手段のうち所望の録画手段を選択する機器選択手段と、受信信号の中の番組を再生して録画用信号とし、前記機器選択手段で選択されている前記所望の録画手段に供給し、録画せしめる録画信号出力手段とを備える。そして、前記所望の録画手段に記録された前記録画用信号を管理するために、前記録画手段に保存される管理情報には、前記録画用信号を出力した装置本体の識別情報を記録する手段を備える。【選択図】  図２７
2006094211.tif 000002
【特許請求の範囲】
【請求項１】
ネットワークを介して複数の録画手段を接続可能な接続手段と、
前記複数の録画手段のうち所望の録画手段を選択する機器選択手段と、
受信信号の中の番組を再生して録画信号とし、前記機器選択手段で選択されている前記所望の録画手段に供給し、録画せしめる録画信号出力手段とを具備し、
前記所望の録画手段に記録される前記録画信号を管理するために、前記録画手段に保存される管理情報には、前記録画用信号を出力した装置本体の識別情報を記録する手段を
具備したことを特徴とするネットワーク接続される放送受信装置。
【請求項２】
ネットワークを介して複数の録画手段を接続可能な接続手段と、
前記複数の録画手段のうち所望の録画手段を選択する機器選択手段と、
受信信号の中の番組を再生して録画信号とし、前記機器選択手段で選択されている前記所望の録画手段に供給し、録画せしめる録画信号出力手段とを具備し、
前記所望の録画手段に記録される前記録画信号を管理するために、前記所望の録画手段に保存される管理情報には、前記録画信号を出力する装置本体の識別情報を記録する手段と、
前記機器選択手段で前記所望の録画手段を選択し、上書き又は追加録画する際に、前記識別情報をチェックし、自己の識別情報と同じであるときに、上書き又は追加録画せしめる手段を具備したことを特徴とするネットワーク接続される放送受信装置。
【請求項３】
前記装置本体の識別情報を記録する手段は、前記装置本体により録画予約が行われたときに、前記識別情報を記録することを特徴とする請求項２記載のネットワーク接続される放送受信装置。
【請求項４】
前記装置本体の識別情報を記録する手段は、前記装置本体により録画予約が行われたときに、前記識別情報を記録するとともに、さらに録画を行うための領域も確保する手段を含むことを特徴とする請求項２記載のネットワーク接続される放送受信装置。
【請求項５】
前記装置本体の識別情報を記録する手段は、前記装置本体により録画予約が行われたときに、前記識別情報を記録するとともに、さらに録画を行うための領域も確保し、設定された録画モード情報を記録する手段を含むことを特徴とする請求項２記載のネットワーク接続される放送受信装置。
【請求項６】
前記上書き又は追加録画せしめる手段は、前記識別情報をチェックするとともに、録画予約されている番組名あるいはフォルダ名をチェックする手段も含むことを特徴とする請求項２記載のネットワーク接続される放送受信装置。
【請求項７】
前記上書き又は追加録画せしめる手段は、前記識別情報をチェック、録画予約されている番組名あるいはフォルダ名をチェック、及び録画モードのチェック手段も含むことを特徴とする請求項２記載のネットワーク接続される放送受信装置。
【請求項８】
前記上書き又は追加録画せしめる手段は、録画タイトルに関連して予約単位を識別できる予約ID、基準日時よりも過去の録画タイトルを対象とするための基準日時情報をさらにチェックする手段を含むことを特徴とする請求項２記載のネットワーク接続される放送受信装置。
【発明の詳細な説明】
【技術分野】
【０００１】
この発明は、例えばデジタルテレビジョン放送等を受信する放送受信装置の改良に関し、特にデジタル記録機器が同時に別々の機器からアクセスされて、ファイルが削除されるなどの事故を防止できるようにしたものである。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
ところで、このように、複数のデジタル記録機器をネットワーク接続可能としたデジタル放送受信装置においては、各デジタル記録機器に記録されている番組をユーザが容易に管理することができ、所望の記録番組を迅速に検索して再生できるようにすることが重要となる。
【０００６】
特許文献１には、インターネット受信機能を備えたテレビジョン受像機で、テレビジョン信号の音声をスピーカ出力している状態でも、電話回線による接続状態を認識可能とした構成が開示されている。
【特許文献１】特開平１０−１３６２７５号公報
【発明の開示】
【発明が解決しようとする課題】
【０００７】
上記のように複数のデジタル記録機器をネットワーク接続可能とした場合、各記録機器を管理する必要が生じる。特に複数のデジタル記録機器が存在した場合、機器の管理を容易に行うためにはグラフィックユーザインターフェースが必要である。また、ネットワーク接続可能とした場合、別の能動的な機器、例えば第２のデジタル放送受信装置が接続される可能性は十分ある。このような場合、第１と第２のデジタル放送受信装置が、同一のデジタル記録機器を同一時期、異なる時期を問わずアクセスすることがある。このアクセスにおいて、ファイルやフォルダの削除、ファイルやフォルダに対する追加録画、あるいは上書き録画が実行される場合がある。このとき第１のデジタル放送受信装置が番組Aを録画したにも係わらず、第２のデジタル放送受信装置により、番組Aを削除されてしまう、あるいは番組Aに上書きされてしまう危険がある。
【０００８】
そこでこの発明は、上記事情を考慮してなされたもので、ネットワーク接続された複数のデジタル記録機器と、ネットワークを介して複数のデジタル放送受信装置が接続された場合、共通のデジタル記録機器上でのファイルやフォルダの管理が安全に行われるようにしたネットワーク接続される放送受信装置を提供することを目的とする。
【課題を解決するための手段】
【０００９】
この発明に係るネットワーク接続される放送受信装置は、ネットワークを介して複数の録画手段を接続可能な接続手段と、前記複数の録画手段のうち所望の録画手段を選択する機器選択手段と、受信信号の中の番組を再生して録画用信号とし、前記機器選択手段で選択されている前記所望の録画手段に供給し、録画せしめる録画信号出力手段と、を具備し、前記所望の録画手段に記録された前記録画用信号を管理するために、前記所望の録画手段に保存される管理情報には、前記録画用信号を出力した装置本体の識別情報を追記する手段を有する。またこの装置は、前記機器選択手段で前記所望の録画手段を選択し、上書き又は追加録画する際に、前記識別情報をチェックし、自己の識別情報と同じであるときに、上書き又は追加録画せしめる手段を備える。    
【発明の効果】
【００１０】
上記した発明によれば、ネットワークを介してデジタル記録機器をアクセスする放送受信装置が複数存在してもファイル及びフォルダ管理上で不都合が生じることはない。
【発明を実施するための最良の形態】
【００１１】
以下、この発明の実施の形態について図面を参照して詳細に説明する。図１は、この実施の形態で説明する第１及び第２のデジタルテレビジョン放送受信装置１１, １１’の外観と、このデジタルテレビジョン放送受信装置１１を中心として構成されるネットワークシステムの一例を概略的に示している。
【００１２】
第１及び第２のデジタルテレビジョン放送受信装置１１, １１’は同じタイプであるから、片方の装置１１を代表して説明する。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また地上波アナログ信号を受信するアナログチューナ６８も設けられている。アナログチューナ６８で受信された信号は、アナログ復調器６９で復調され信号処理部４７に出力される。
【００２７】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３０】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３１】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３２】
また、上記音声処理部５３は、入力されたデジタルの音声信号を、前記スピーカ１５で再生可能なフォーマットのアナログ音声信号に変換し、スピーカ１５に出力して音声再生させる。
【００３３】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３４】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３５】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３６】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３７】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３８】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３９】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４０】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４２】
図４は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図５に示すような番組表を映像表示器１４に表示させる。
【００４３】
すると、ユーザは、ステップＳ３で、表示された番組表に基づいて所望の番組の記録予約設定を実行する。この記録予約設定では、記録すべき番組を番組表から選択するとともに、その番組を記録させるデジタル記録機器を選択設定することも行なわれる。
【００４４】
そして、制御部５６は、ステップＳ４で、記録予約した設定時間に達した場合、予約設定された番組を予約設定されたデジタル記録機器に記録するように、記録動作を実行する。
【００４５】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４６】
また、上記ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４７】
以上の記録動作により、ユーザは、デジタルテレビジョン放送受信装置１１の各端子２１〜２４に接続されている複数のデジタル記録機器を任意に選択して、番組を記録させていくことが可能になる。
【００４８】
図６は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００４９】
すると、制御部５６は、ステップＳ１１で、faceネット（ナビゲーション）を起動させ、図７に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図７では、「テレビ」が選択された状態をハッチングにより示している。
【００５０】
ここで、ユーザは、ステップＳ１２で、リモートコントローラ１７のカーソルキー１７ｆを操作して「録画番組」の項目を選択する。すると、制御部５６は、図８にハッチングで示すように、「録画番組」の項目を選択した状態となる。
【００５１】
この状態で、ユーザが、ステップＳ１３で、リモートコントローラ１７の決定キー１７ｇを操作すると、制御部５６は、図９に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５２】
この最近録画した番組の一覧は、図４で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図９では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５３】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５４】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５５】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５６】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５７】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００５８】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００５９】
さらに、リモートコントローラ１７のページ切換キー１７ｉを操作することにより、映像表示器１４の画面に表示されている映像を、ページ単位で切り換えることができる。すなわち、リモートコントローラ１７のカーソルキー１７ｆは、画面上でカーソルを上下左右に移動させるために、上下左右の各方向に対応した４つのキーで構成されている。そして、ページ切換キー１７ｉも、４つのカーソルキー１７ｆにそれぞれ対応した４つのキーで構成されている。
【００６０】
つまり、例えば、カーソルを上方向に移動させるためのカーソルキー１７ｆに対応するページ切換キー１７ｉを操作することにより、現在の表示画面がその上側に存在する映像に切り換えられることになる。このページ切り換え機能により、カーソルキー１７ｆを操作して画面をスクロールさせることに比べて、所望の画面を迅速に選択することが可能となる。
【００６１】
また、ページ切換キー１７ｉは、カーソルキー１７ｆに対応させて設置されるので、移動方向を容易に認識することができる。このページ切換キー１７ｉによって切換可能な画面としては、例えば、図５に示した番組表、図９に示した最近録画した番組の一覧表等がある。
【００６２】
さらに、上記リモートコントローラ１７の入力切換キー１７ｂは、アナログ系のビデオ入力端子を切り換えるキーで、＋側と−側とに選択的に操作可能となっている。ビデオ入力端子の切換状況は、
映像表示器１４の表示画面上にＯＳＤ表示される。
【００６３】
入力切換キー１７ｂを＋側に操作すると、ビデオ１→ビデオ２→ビデオ３→ビデオ４→ビデオ５→ＨＤＭＩ（High Definition Multimedia Interface）→放送→ビデオ１のように正方向に循環的に切り換えられる。また、入力切換キー１７ｂを−側に操作すると、放送→ＨＤＭＩ→ビデオ５→ビデオ４→ビデオ３→ビデオ２→ビデオ１→放送のように逆方向に循環的に切り換えられる。従来では、正方向への循環切り換えしかなかったため、ユーザに不便を強いていたが、逆方向への循環切り換えを付加することにより、操作性を向上させることができる。
【００６４】
また、この入力切換キー１７ｂによるビデオ入力切換は、入力切換キー１７ｂを連続的に押圧操作している状態では、ＯＳＤ表示のみが切り換わり、操作を所定時間停止することにより画面が切り換わる、いわゆる先行入力方式を採用しているので、入力切換キー１７ｂを操作する毎に画面が変わるという煩わしさがなくなる。
【００６５】
さらに、このデジタルテレビジョン放送受信装置１１は、チャンネル、ジャンル、キーワードのお好み情報をユーザが入力することにより、入力した時点から１週間先までのお好み情報に対応した番組を自動的に検索し、図１０に示すように、お好み番組一覧として画面表示する。このお好み番組一覧から特定の番組を選択して記録予約設定することも可能である。
【００６６】
このお好み番組一覧は、図７に示したナビゲーションメニューの「テレビ」の項目をカーソルキー１７ｆで選択し決定キー１７ｇで決定することにより表示される。そして、このお好み番組の検索では、チャンネル、ジャンル、キーワードの組み合わせをＡ〜Ｄの４種類設定することができる。
【００６７】
例えば、組み合わせＡでは、ジャンルがサッカー、キーワードがワールド、チャンネルがＮＨＫであり、組み合わせＢでは、ジャンルが野球、キーワードが日本、チャンネルが日本テレビというように設定できる。そして、お好み番組一覧では、図１０に示すお好み番組一覧の中で右側の列に示すように、検索した各番組に対して、Ａ〜Ｄのどの組み合わせによって検索されたかが示されるようになっている。お好み情報が重なった番組に対しては、Ａ〜Ｄが複数個表示される。
【００６８】
また、このデジタルテレビジョン放送受信装置１１は、図５に示した番組表の表示状態で、リモートコントローラ１７の黄色のカラーキー１７ｍを操作することにより、図１１に示すような、キーワード検索画面を表示する。このキーワード検索画面では、ジャンル、キーワード、日付、チャンネルの４つの項目を入力することにより、入力した時点から１週間先までの番組を自動的に検索して一覧表示することができる。
【００６９】
さらに、このデジタルテレビジョン放送受信装置１１は、図９に示した最近録画した番組の一覧表の右側の画面をスクロールさせることにより、図１２に示すように、接続機器の一覧画面を表示させることができる。この接続機器の一覧画面では、各端子２１〜２４に接続されている機器を全て（但し、ブロードバンドルータ３１が接続されている場合はそこまで）一覧表示することができる。
【００７０】
この機器一覧において、第１のＬＡＮ端子２１に対応するＬＡＮ１には、それがＬＡＮ対応ＨＤＤ専用ポートであることを示すアイコンが付され、第２のＬＡＮ端子２２に対応するＬＡＮ２には、それが一般的なＬＡＮ対応ポートであることを示すアイコンが表示されている。
【００７１】
そして、この接続機器の一覧表示画面から、所望のデジタル記録機器をカーソルキー１７ｆで選択し決定キー１７ｇで決定すると、図１３に示すように、その選択決定されたデジタル記録機器に記録されている番組の一覧がライブラリとして表示される。
【００７２】
また、このライブラリ画面の表示状態で、リモートコントローラ１７の黄色のカラーキー１７ｍを操作すると、図１１に示すようなキーワード検索画面が表示される。そして、このキーワード検索画面で、ジャンル、キーワード、日付、チャンネルの４つの項目を入力すると、図１４に示すように、選択決定されたデジタル記録機器に記録されている番組の中から、検索条件に対応した番組が検索されて一覧表示される。
【００７３】
このネットワークを接続される放送受信装置では、１つのデジタル記録機器（録画手段）を第１と第２のデジタルテレビジョン放送受信装置１１、１１’が共用することがある。この場合、第１と第２のデジタルテレビジョン放送受信装置が、同一の番組を予約録画することも有り得る。そこでこの装置では、録画動作の衝突が生じないように工夫されている。まず本装置は、ネットワークを介して複数の録画手段を接続可能な接続手段（図１に示した２１−２４及びハブ）が設けられている。放送受信装置は、複数の録画手段のうち所望の録画手段を選択する機器選択手段を有する。これは図１２に示すようなface net 画面から選択できる。録画予約が成されている場合、受信信号の中の番組を再生して録画用信号とし、前記機器選択手段で選択されている前記所望の録画手段に供給し、録画せしめる録画信号出力手段を有する。つまり図２の制御部５６は、所望のデジタル記録機器に再生した録画用信号を出力する録画信号出力手段を含むのである。
【００７４】
ここで、所望の録画手段に記録された前記録画用信号を管理するために、前記所望の録画手段に保存される管理情報に、前記録画用信号を出力した装置本体の識別情報を追記する手段も有する。また機器選択手段で前記所望の録画手段を選択し、上書き又は追加録画する際に、前記識別情報をチェックし、自己の識別情報と同じであるときに、上書き又は追加録画せしめる手段も含む。
【００７５】
上記の録画手段、例えばHDD２７が、デジタルテレビ放送受信装置１１、１１’からアクセスされる場合について説明する。図１５には、HDD27に格納されている上記の管理情報のフォーマットの一例を示している。管理情報には、記録されている番組名、番組名に対応する放送の種類（BS放送、CS放送,地上波デジタル放送（地上D)、地上波アナログ放送（地上A)）、チャンネル、録画した日付、時間帯、番組のジャンル、録画モード（高品位HD、標準SD）、音質、データ量（HDDに対するパーセンテージ）、などがある。つまり、HDD２７が指定されたときに、図１３に示したライブラリを表示するのに必要は情報が記録されている。
【００７６】
さらにまた、この装置では、特に入力装置IDが管理情報に含まれている。つまり録画した番組は、デジタルテレビ放送受信装置１１、１１’のいずれの装置から取り込まれた番組であるかを識別する情報が各番組名に対応して記録されている。図１５において、「AAAAA」は例えば、デジタルテレビ放送受信装置１１の識別コードであり、「BBBBB」はデジタルテレビ放送受信装置１１’の識別コードである。各番組を管理する管理情報は、さらに対応するデータが記録されているデータ領域のアドレスのエントリーポイント等を含むが図１５では、省略している。
【００７７】
また、この装置では、図５で説明した電子番組情報から録画予約を行うことができる。このとき録画するデジタル記録機器に対して、事前に管理領域、及び、データ領域を確保することができる。図１５において、入力装置のIDが記述されているが、管理情報領域及びデータ領域がブランクの部分が示されている。このブランク部分１５３，１５４は、それぞれ録画予約により確保された領域であることを意味する。
【００７８】
図１６は、上記デジタルテレビジョン放送受信装置１１に対して、番組指定予約を設定する動作を説明するためのフローチャートを示している。この動作は、ユーザがリモートコントローラ１７の番組表キー１７ｈを操作することにより、開始（ステップＳ４ａ）される。
【００７９】
すると、制御部５６は、ステップＳ４ｂで、放送信号から予め取得しておいたＥＰＧ（Electronic Program Guide）情報に基づいて、図１７（ａ）に示すような電子番組表を映像表示器１４に表示させる。
【００８０】
これにより、ユーザは、電子番組表の中から所望の番組を選択設定することができる。この選択設定は、リモートコントローラ１７のカーソルキー１７ｆを操作して所望の番組を選択し、決定キー１７ｇを操作することにより実行される。
【００８１】
このため、制御部５６は、ステップＳ４ｃで、電子番組表の中から所望の番組が選択設定されたことを検知すると、ステップＳ４ｄで、図１７（ｂ）に示すような予約選択画面を表示させる。
【００８２】
この予約選択画面では、先に選択設定した番組に対する放送チャンネル、放送日、内容の概略説明等が表示され、録画予約か視聴予約かをユーザに選択させることができる。この選択も、リモートコントローラ１７のカーソルキー１７ｆを操作して録画予約か視聴予約かを選択し、決定キー１７ｇを操作することにより実行される。
【００８３】
そして、制御部５６は、ステップＳ４ｅで、録画予約及び視聴予約のいずれが選択されたかを判別し、視聴予約が選択されたと判断された場合、ステップＳ４ｆで、視聴予約のために設定された各情報を不揮発性メモリ５９に格納して視聴予約設定を完了し、処理を終了（ステップＳ４ｉ）する。このように視聴予約が設定されることにより、選択された番組が自動的に選局され視聴に供されるようになる。
【００８４】
また、上記ステップＳ４ｅで録画予約が選択されたと判断された場合、制御部５６は、ステップＳ４ｇで、図１７（ｃ）に示すような録画予約設定画面を表示させる。この録画予約設定画面では、先に選択設定した番組を録画予約するか否かの選択、録画するデジタル録画機器または記録媒体の指定等を行なうことができる。
【００８５】
そして、制御部５６は、録画予約設定画面において録画予約が要求され種々の必要項目が設定された場合に、ステップＳ４ｈで、録画予約のために設定された各情報を不揮発性メモリ５９に格納して録画予約設定を完了し、処理を終了（ステップＳ４ｉ）する。このように録画予約が設定されることにより、選択された番組が、指定されたデジタル録画機器または記録媒体に自動的に録画されるようになる。
【００８６】
次に、番組指定予約の画面から、録画予約を行い、録画設定画面で録画モードなどを設定するまでの経緯を説明する。以後の説明は、視聴番組を録画するときももちろん適用される。
【００８７】
図１８は、電子番組表から録画しようとする番組を指定したときに現れる画面である。放送種別、放送日時、時間、番組のタイトルなどが表示される。さらに画面の下の領域には、先に図１７（a）〜（ｃ）で説明した予約方法を選択するための領域が表示される。
【００８８】
図１９と図２０には、録画を行う機器の選択を行うための機器選択画面の例を示している。図１９の機器一覧テーブルにおいて、表示しきれなかった機器が図２０に示されている。リモートコントローラ１７のカーソルキー１７ｆを操作することで、画面がスクロールされ、図１９及び図２０の表示状態になる。
【００８９】
図２１は、機器選択画面において、LAN３であるDVDレコーダが選択され、次に録画予約ボタンが選択されたときに現れる録画設定画面の例を示している。この録画設定画面では、選択された録画機器名、接続形態が表示される。図２１の例では、LAN3、DVDレコーダである。さらに録画モード、音質、記録先などを表示するための領域が現れる。図２１の例では、録画モードとしてはSP（ダウンコンバートして記録を意味する）が示され、さらにビットレート（４．６）が付随して表示されている。また音質としては、音声情報の記録処理形態としてデュアルモードD（主音声＋副音声）とモノラルモードM１の選択が可能であることが表示されている。カーソルによりいずれかを選択し、決定キーでいずれかを設定可能である。またDVDレコーダの場合、内臓HDDがあり、内臓HDDとディスクの両方が記録対象となるので、この場合は、HDDであることが表示されている。ここで、「設定完了」の表示ボタンをカーソルで選択して、リモートコントローラ１７の決定キー１７ｇを操作すると、DVDレコーダに対する設定が完了する。
【００９０】
図２２の例では、図２１の例に比べてさらに放送時間に対して「連動する」という表示が追加して得られている。この内容でよい場合には、「設定完了」の表示ボタンをカーソルで選択して、リモートコントローラ１７の決定キー１７ｇを操作すると、DVDレコーダに対する設定が完了する。
【００９１】
図２３の表示例は、機器選択画面において、i .LINK２として接続されたハードディスク装置が選択され、次に録画予約ボタンが選択されたときの、録画設定画面の例である。この場合は、録画モードとして、TS（トランスポートストリームの直接記録を意味する）が選択された様子を示している。図２４の場合は、図２３の設定に対してさらに、録画が放送時間に連動するように指定されているときの様子を示している。
【００９２】
図２５の例は、機器選択画面において、LAN２のハードディスクが選択され、次に録画予約ボタンが選択されたときの録画設定画面の様子を示している。この録画設定画面では、録画モードとして例えばTP（ダウンコンバート記録を意味する）が表示されている。しかしこのTPに付随してマーク「！」が表示されている。また、この録画設定画面では、放送時間に連動することが指定され、また上書き録画はしないことが指定されている。
【００９３】
ここで、マーク「！」は、選択した記録媒体に、予約した番組を、指定した録画モードで記録すると、記憶容量が不足する場合があることの警告である。予約した番組は、電子番組表からその放送時間が分かっている。また機器選択が行われたときに、その機器の残量も判明する。また録画モードが指定されると、予約番組を記録するために必要なおおよその記憶容量が計算できる。したがって、残量-（ビットレート）×（記録時間）=Aを計算すると、記録媒体の残量が十分であるか否かの判別が可能である。
【００９４】
上記したようにマーク「！」が表示された場合には、録画モードの表示部にカーソルを合わせて例えば決定キー７ｆを押すと、図２６に示すように、複数の録画モードTS,  XP,  SPが並べて表示される。さらにカーソルキーにより、図示しないLP、EP、F、N、Eなどを表示することも可能である。ここで再度決定キー７ｆを押すと、図２５あるいは図２４のように、録画モードを特定することができる。しかしこの状態でまた、決定キー７ｆを押すと、図２６に示すような表示状態に戻ることができる。
【００９５】
さらにこの放送受信装置では、図２６に示すような状態で、リモートコントローラ１７の青のカラーキーを操作することでキャリブレーションを実効させることができる。キャリブレーションは、選択した記録媒体に、予約した番組を、例えば表示されているTS,  XP、SPの各録画モードで記録したとすると、記憶容量が十分であるかどうかを判定するシミュレーション機能である。上記したように録画条件が設定されて、図１５で説明したような管理情報が構築される。
【００９６】
図２７には、録画が実効されるときの動作例をフローチャートで示している。録画が開始されると、「上書きする」が指定されているかどうかを判断する。上書きする場合には録画予約テーブルの番組名と同一の番組名が管理情報に存在するか否かの判断を行う（ステップ１６S１、１６S２）。存在した場合は、当該領域に上書きを実行する（ステップ１６S３、１６S４、１６S５）。上書きが指定されていないときは、確保されている録画領域をサーチする。そして録画領域が検出された場合には、当該領域に対して録画を行う（ステップ１６S７、１６S８、１６S９）。
【００９７】
なお、録画予約テーブルは、録画開始時間情報を有し、現在時刻と録画開始時間情報が一致したときに、対応する番組名が決定される。そして、この予約番組名と、管理情報に登録されている番組名とが照合され、次に、装置本体の識別情報が照合される。この照合の順序は逆であってもよい。録画予約テーブルも所望の記録媒体（上記の例であるとHDD２７）に記録されていてもよい。また、録画予約テーブルは、制御部５６のメモリに格納されていてもよいし、双方に記憶されていてもよい。
【００９８】
したがって、本装置によると、装置本体の識別情報を記録する手段は、装置本体により録画予約が行われたときに、識別情報を記録するとともに、さらに録画を行うための領域も確保する手段を含むことになる。また、設定された録画モード情報を記録する手段を含んでもよい。
【００９９】
さらにまた録画が開始されたときに、記録媒体に上書き又は追加録画せしめる手段は、識別情報をチェックするとともに、録画予約されている番組名あるいはフォルダ名をチェックする手段も含入力でもよい。また録画モードのチェック手段も含んでもよい。そしてチェックした項目を制御部に反映させて、適正な録画を実行するのである。  なお装置本体の識別情報としては、MAC_ID＋予約IDを録画タイトル毎に用意してもよい。
【０１００】
上記の説明では、機器選択が行われたとき、この機器（上記の例ではHDD２７）の管理情報の全てを検索して、録画領域を検出するとしたが、特定のフォルダ内のみに限定してもよい。つまり、機器全体の管理情報をサーチすること時間がかかるので、指定された機器レベルではなく、記録先としてフォルダを指定して録画設定を行うようにしてもよい。この場合は、録画開始時には、現時間に対応する登録された録画開始時間情報のサーチ及び予約されたフォルダ名のサーチと、番組名のサーチの２階層となる。このサーチステップは、図２７で示したステップ１６S2で行われることになる。なお照合とは、録画予約テーブルに登録されている番組名等とデジタル記録機器の管理情報内で管理されている番組名などである。また照合は番組名だけでなく、録画開始間情報などを照合してもよい。
【０１０１】
また、上書き録画を行う場合、前回の録画タイトルを消去するようにしてもよい。この場合は、削除対象となる録画タイトルをサーチする場合、次のような条件が与えられるようにする。即ち、検索範囲を特定するためのフォルダ名、装置本体を固体識別するための例えばMAC_IDである。さらにまた録画タイトルに関連して予約単位を識別できる予約ID、基準日時情報（基準日時よりも過去の録画タイトルを対象とするため）が追加されてもよい。つまり、記録媒体の管理情報には、上記のような情報が格納されており、また、装置本体の録画予約情報テーブルにも、上記のようなフォルダ名、予約ID、基準日時情報（録画を実行する日時情報）が格納されている。
【０１０２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１０３】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がデジタル記録機器に番組を記録する動作を説明するために示すフローチャート。
【図５】同実施の形態におけるデジタルテレビジョン放送受信装置の記録動作時に表示される番組表の一例を説明するために示す図。
【図６】同実施の形態におけるデジタルテレビジョン放送受信装置がデジタル記録機器から番組を再生する動作を説明するために示すフローチャート。
【図７】同実施の形態におけるデジタルテレビジョン放送受信装置の再生動作時に表示されるナビゲーションメニューの一例を説明するために示す図。
【図８】同実施の形態におけるナビゲーションメニューから録画番組の項目を選択した状態を説明するために示す図。
【図９】同実施の形態におけるナビゲーションメニューから得られる最近録画した番組の一覧表示画面の一例を説明するために示す図。
【図１０】同実施の形態におけるデジタルテレビジョン放送受信装置のお好み番組一覧表示画面の一例を説明するために示す図。
【図１１】同実施の形態におけるデジタルテレビジョン放送受信装置のキーワード検索画面の一例を説明するために示す図。
【図１２】同実施の形態におけるデジタルテレビジョン放送受信装置の接続機器一覧表示画面の一例を説明するために示す図。
【図１３】同実施の形態におけるデジタルテレビジョン放送受信装置の特定の接続機器に記録された番組の一覧表示画面の一例を説明するために示す図。
【図１４】同実施の形態におけるデジタルテレビジョン放送受信装置の特定の接続機器に記録された番組のうちキーワード検索された番組の一覧表示画面の一例を説明するために示す図。
【図１５】同実施の形態におけるデジタルテレビジョン放送受信装置に接続されるデジタル記録機器におけるデータ記録フォーマットの例を示す説明図。
【図１６】上記デジタルテレビジョン放送受信装置に対して番組指定予約を設定する動作を説明するために示したフローチャート。
【図１７】電子番組表から録画番組を予約するときの表示画面の例を示す説明図。
【図１８】電子番組表から録画しようとする番組を指定したときに現れる画面の例を示す図。
【図１９】録画を行う機器の選択を行うための機器選択画面の例を示す図。
【図２０】録画を行う機器の選択を行うための機器選択画面の例を示す図。
【図２１】機器選択画面において、LAN３であるDVDレコーダが選択され、次に録画予約ボタンが選択されたときに現れる録画設定画面の例を示す図。
【図２２】機器選択画面において、LAN３であるDVDレコーダが選択され、次に録画予約ボタンが選択されたときに現れる録画設定画面の他の例を示す図。
【図２３】機器選択画面において、i .LINK２として接続されたハードディスク装置が選択され、次に録画予約ボタンが選択されたときの、録画設定画面の例を示す図。
【図２４】選択画面において、i .LINK２として接続されたハードディスク装置が選択され、次に録画予約ボタンが選択されたときの、録画設定画面の他の例を示す図。
【図２５】機器選択画面において、LAN２のハードディスクが選択され、次に録画予約ボタンが選択されたときの録画設定画面の様子を示す図。
【図２６】複数の録画モードTS,  XP,  SPが並べて表示された例を示す説明図。
【図２７】上記デジタルテレビジョン放送受信装置において録画予約した番組が録画されるときの動作例を示したフローチャート。
【符号の説明】
【０１０４】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ。
【図１】
2006094211.tif 000003
【図２】
2006094211.tif 000004
【図３】
2006094211.tif 000005
【図４】
2006094211.tif 000006
【図５】
2006094211.tif 000007
【図６】
2006094211.tif 000008
【図７】
2006094211.tif 000009
【図８】
2006094211.tif 000010
【図９】
2006094211.tif 000011
【図１０】
2006094211.tif 000012
【図１１】
2006094211.tif 000013
【図１２】
2006094211.tif 000014
【図１３】
2006094211.tif 000015
【図１４】
2006094211.tif 000016
【図１５】
2006094211.tif 000017
【図１６】
2006094211.tif 000018
【図１７】
2006094211.tif 000019
【図１８】
2006094211.tif 000020
【図１９】
2006094211.tif 000021
【図２０】
2006094211.tif 000022
【図２１】
2006094211.tif 000023
【図２２】
2006094211.tif 000024
【図２３】
2006094211.tif 000025
【図２４】
2006094211.tif 000026
【図２５】
2006094211.tif 000027
【図２６】
2006094211.tif 000028
【図２７】
2006094211.tif 000029